(57)【要約】【課題】一つのケース内に複数の磁気抵抗素子を配置した磁気センサー装置において、配置された磁気抵抗素子からの出力電圧の時間的なズレを小さくし、また、紙幣を搬送し、かつ、磁気センサー装置の検出面との距離を一定に保つローラー等機械的周辺部品との整合が容易で、非検出帯の無い磁気センサー装置を提供する。【解決手段】検出対象となる紙幣等紙葉状媒体の移動方向に対し、少なくとも一対の磁気抵抗素子を斜めに配置し、複数の斜めに配置された磁気抵抗素子を紙幣等紙葉状媒体の移動方向と同一面状の垂線に対し平行に直線状に配置する。【選択図】図１０
0003105238.tif 000002
【実用新案登録請求の範囲】
【請求項１】
複数の少なくとも一対の磁気抵抗素子と、前記複数の少なくとも一対の磁気抵抗素子にバイアス磁界を与える永久磁石を備えた磁気センサー装置において、前記磁気センサーが検出する検出体の移動方向に対して、複数の少なくとも一対の磁気抵抗素子を斜めに配置したことを特徴とする磁気センサー装置。
【請求項２】
前記複数の少なくとも一対の磁気抵抗素子にバイアス磁界を与える永久磁石の数量を、配列する複数の磁気抵抗素子数より少ない数量で構成された請求項１記載の磁気センサー装置。
【考案の詳細な説明】
【技術分野】
【０００１】
本考案は、紙幣等紙葉状媒体の磁性を検出する磁気センサー装置の構造に関するものである。
【背景技術】
【０００２】
紙幣等紙葉状媒体の磁性を検出する手段として、磁気センサー装置が利用されることは周知である。磁気センサー装置を利用し紙幣等紙葉状媒体の磁性を検出する場合、図１に示すように、一対の磁気抵抗素子１１ａ・１１ｂが単一で構成された磁気センサー装置を１個か、または、図２に示すように、一対の磁気抵抗素子１１ａ・１１ｂが単一で構成された磁気センサー装置を複数個配置し検出する。また、図３に示すように一つのケース３１内に一対の磁気抵抗素子１１ａ・１１ｂを複数個配置した磁気センサー装置も考案され利用されている。
【０００３】
しかし、近年においては、偽造紙幣を防止するため、０．５ｍｍ角程度の非常に小さい磁性体４１を一直線状に配置した紙幣や、１ｍｍ幅程度の非常に狭い幅の直線状の磁性体をもった紙幣が造幣されている。そのような紙幣を検出する場合には、非検出帯を無くす為に図４に示すように、一対の磁気抵抗素子１１ａ・１１ｂが単一で構成された磁気センサー装置を複数個千鳥状に配置する。しかし、このように複数の一対の磁気抵抗素子１１ａ・１１ｂが単一で構成された磁気センサー装置を配置すると、紙幣真贋判定機や紙幣識別機等の装置全体が大型化してしまうばかりではなく、安価な紙幣真贋判定機や紙幣識別機等の装置を供給することは困難となっていた。また、複数の一対の磁気抵抗素子１１ａ・１１ｂが単一で構成された磁気センサー装置を千鳥状に配列すると、図４のＡ列側とＢ列側とに図５に示すように、時間的なズレが大きく発生してしまい、磁気センサー装置から得られる信号を処理する電気回路や、得られた信号から紙幣の真贋や金種を判定するプログラム等が複雑になってしまう問題があった。
【０００４】
真贋判定機や紙幣識別機等の大型化を防ぐ為や、時間的なズレを少しでも小さくする為に、図６に示すように、一つのケース６２内に少なくとも一対の磁気抵抗素子１１ａ・１１ｂを千鳥状に複数個を配置した磁気センサー装置が考案されている。
【０００５】
磁気センサー装置の出力電圧の大小は、図７に示すように、磁気抵抗素子と被検出体との距離に依存していることは周知である。その為、磁気センサー装置の検出面と紙幣等紙葉状媒体との距離を一定に保ち安定した出力電圧を得る為に、一般的に図８に示すようにローラー８１等の機械的部品を利用する。しかし、図６に示すような一つのケース６２に千鳥状に少なくとも一対の磁気抵抗素子１１ａ・１１ｂを複数個配置した磁気センサー装置では、図９に示すように、ローラー８５の中心と、少なくとも２個一対の磁気抵抗素子の中心が一致せず、紙幣等紙葉状媒体９１のわずかな浮き等によって、磁気センサー装置から出力される電圧が不安定で、磁気センサー装置の出力電圧の再現性を著しく低下させていた。その為、高い精度で紙幣の真贋判定や、金種判定を行なうことは困難な状況にあった。
【特許文献１】特開２００３−１０７１４２号公報
【考案の開示】
【考案が解決しようとする課題】
【０００６】
一つのケース内に複数の磁気抵抗素子を配置した磁気センサー装置において、配置された磁気抵抗素子の時間的なズレを小さくし、また、紙幣を搬送する為や磁気センサー装置の検出面との距離を一定に保つローラー等機械的周辺部品との整合が容易で、非検出帯の無い磁気センサー装置を提供しようとするものである。
【課題を解決するための手段】
【０００７】
本考案による磁気センサー装置を図１０に示す。本考案では、検出対象となる紙幣等紙葉状媒体の移動方向に対し、少なくとも一対の磁気抵抗素子１１ａ・１１ｂを斜めに配置し、斜めに配置された磁気抵抗素子を紙幣等紙葉状媒体の移動方向と同一面状の垂線に対し平行に複数個ほぼ直線的に配置し、一つのケース１０２内に収容しことを特徴とする。
【０００８】
また、一つのケース１０２内に複数個の少なくとも一対の磁気抵抗素子１１ａ・１１ｂにバイアス磁界を与える永久磁石１０１を１個か、または一つのケース１０２内に配置された少なくとも一対の磁気抵抗素子１１ａ・１１ｂの数量より少ない数量で構成されたことを特徴とする。
【考案の効果】
【０００９】
本考案による磁気センサー装置は、図６に示す一つのケース６２内に千鳥状に複数個配置した磁気センサー装置より時間的なズレが小さくなり、磁気センサー装置から得られる信号を処理する電気回路や、得られた信号から紙幣の真贋や金種を判定するプログラム等が簡素化することができるようになった。更に、図１０に示すように、本考案による磁気センサー装置は、一つのケース１０２内に複数の少なくとも一対の磁気抵抗素子１１ａ・１１ｂを直線的に配置した為、紙幣を搬送する為や、磁気センサー装置の検出面との距離を一定に保つローラー等機械的部品との整合が取り易くなり、本考案による磁気センサー装置から得られる出力電圧が安定し、また、出力電圧の再現性が高くなった。その為、精度の高い紙幣の真贋判定や金種判定を行なうことが可能となった。
【考案を実施するための最良の形態】
【００１０】
検出対象となる紙幣等紙葉状媒体の移動方向に対し、少なくとも一対の磁気抵抗素
子を斜めに配置し、複数の斜めに配置された磁気抵抗素子を紙幣等紙葉状媒体の移動
方向と同一面状の垂線に対し平行に直線状に配置し、一つのケースに収容する。
【実施例】
【００１１】
本考案の実施例を図１１に示す。電路を形成する基板１１３上に、図１０で示した少なくとも一対の磁気抵抗素子１１ａ・１１ｂで構成された磁電変換素子１１１を斜めに接着等によって配置する。更に同じ角度をもって複数個の磁電変換素子１１１を直線状に接着等によって配列する。配列された複数個の磁電変換素子１１１は、電路を形成する基板１１３と金線１１７によって電気的に接続される。電路を形成する基板１１３の複数個の少なくとも一対の磁気抵抗素子で構成された磁電変換素子１１１を配列した反対の面には、複数個の磁電変換素子１１１に磁気バイアスを与える永久磁石１１２が一つ接着等によって配置される。また、電路を形成する基板１１３には、電源を供給したり、出力電圧を取り出す為のリード１１４等が接続される。これらは、ケース１１６内面と電気的な接続を防止するため、一定のギャップを保つためのスペーサ１１５等を介してケース内面に接着等により配置する。更に、湿気や水分等の進入を防止する為、ケース開口面側より樹脂を充填し封止する。
【００１２】
図１１では、少なくとも一対の磁気抵抗素子で構成された磁電変換素子１１１を４つ配列しているが、配列する磁電変換素子１１１の数量には限りはない。また、図１１では複数の磁電変換素子１１１にバイアス磁界を与える永久磁石１１２を１つとしたが、図１２に示すように、複数個の磁電変換素子を配列し長幅化した場合、永久磁石の製造が困難、または永久磁石の取り扱い上不具合を生じると判断された場合には、複数の永久磁石１２１ａ〜１２１ｄを同一磁極面になるよう密着させ配置することも可能である。
【産業上の利用可能性】
【００１３】
本考案で提供される磁気センサー装置は、紙幣の真偽を判定する紙幣真贋判定機や紙幣の額面を判断する紙幣識別機等に搭載され、自動販売機やＡＴＭ、紙幣カウンター等に利用される。
【図面の簡単な説明】
【００１４】
【図１】一つの磁気センサー装置による紙葉状媒体の磁性検出方法の一例
【図２】複数の磁気センサー装置による紙葉状媒体の磁性検出方法の一例
【図３】一つのケースに複数の磁気抵抗素子が収容された磁気センサー装置
【図４】一般的な磁気センサー装置による微小磁性体の検出方法
【図５】複数列に一般的な磁気センサー装置を配置した場合の時間的なズレ
【図６】一つのケース内に複数列の磁気抵抗素子を収容した磁気センサー装置
【図７】磁気センサー装置の被検出体との距離と出力電圧の関係
【図８】磁気センサー装置から安定的に出力を得る方法の一例
【図９】１つのケース内に千鳥状に磁気抵抗素子を配置した磁気センサー装置の問題点
【図１０】本発明による磁気センサー装置の模式図
【図１１】本発明による磁気センサー装置の構造の一例
【図１２】本発明による磁気センサー装置に収容される複数の永久磁石の配置方法の一例
【符号の説明】
【００１５】
１１ａ・１１ｂ  磁気抵抗素子
１２・６１・１０１・１１２・１２１ａ〜１２１ｄ  永久磁石
１３・３１・６２・１０２・１１６  ケース
１４・９１  紙葉状媒体
４１  磁性材パターン
８１・８５  ローラー
１１１  ２個一対で構成された磁電変換素子
１１３  電路を形成する基板
１１４  リード
１１５  スペーサ
【図１】
0003105238.tif 000003
【図２】
0003105238.tif 000004
【図３】
0003105238.tif 000005
【図４】
0003105238.tif 000006
【図５】
0003105238.tif 000007
【図６】
0003105238.tif 000008
【図７】
0003105238.tif 000009
【図８】
0003105238.tif 000010
【図９】
0003105238.tif 000011
【図１０】
0003105238.tif 000012
【図１１】
0003105238.tif 000013
【図１２】
0003105238.tif 000014